(57)【特許請求の範囲】
【請求項１】
鏡胴駆動部材の回動操作により、焦点距離を連続的に変更させ得る変倍レンズ群を有する撮影光学系と、
前記撮影光学系の焦点距離を連続的に変更する焦点距離変更領域と、この焦点距離変更領域外に設定された収納動作領域とを有する撮影光学系駆動手段と、
前記撮影光学系の焦点距離が変更された際に、その時々の焦点距離に応じてファインダ視野を連続的に変更し得るように構成された視野変倍式ファインダと、
を有する沈胴式ズーム鏡胴を具えたカメラであって、
前記撮影光学系駆動手段は、
固定部に対して回動可能に設けられ、前記鏡胴駆動部材の回動操作に伴い回動的に変位するように形成された駆動伝達面を有するファインダ駆動部材を具え、
前記視野変倍式ファインダは、
変倍ファインダ光学系と、
ファインダ光学系駆動手段と、を具え、
前記ファインダ光学系駆動手段は、
前記変倍ファインダ光学系を駆動するファインダカム部材と、
前記ファインダカム部材に突設され前記駆動伝達面に係接する突起部からなる回動力受けボスと、を含み、
前記焦点距離変更領域内においては、前記駆動伝達面と前記回動力受けボスとを、前記２つの駆動手段の間を連動するよう係接状態に保ち、前記収納動作領域内においては、前記ファインダカム部材の回動を停止させ、前記駆動伝達面を前記回動力受けボスを前記２つの駆動手段の間が非連動となるよう非係接状態に保つように構成したことを特徴とする沈胴式ズーム鏡胴を具えたカメラ。
【請求項２】
前記収納動作領域内においては、前記回動力受けボスを前記固定部に形成された回動制限部に当接させることにより前記ファインダカム部材の回動を停止させることを特徴とする請求項１に記載の沈胴式ズーム鏡胴を具えたカメラ。
【請求項３】
前記ファインダカム部材には、付勢手段によって、前記回動力受けボスが前記ファインダ駆動部材の前記駆動伝達面を圧接する方向の付勢力が与えられていることを特徴とする請求項１または２に記載の沈胴式ズーム鏡胴を具えたカメラ。
【発明の詳細な説明】
【０００１】
【発明の属する技術分野】
本発明は、焦点距離を連続的に変更し得る撮影光学系と、カメラ携帯時や不使用時にズーム式撮影光学系の全部または一部分をカメラ本体内に没入的に収納する沈胴式ズーム鏡胴と、その時々の焦点距離に応じてファインダ視野を連続的に変更する必要性のあるファインダ光学系を具えたカメラの改良に関するものである。
【０００２】
【従来の技術】
焦点距離を連続的に変更し得るズーム式撮影光学系とファインダ光学系とストロボ装置を具えたカメラでは、その時々の焦点距離に応じて、ファインダ視野の大きさや閃光手段の照射角を連続的に変更しなければならない。
そのため、この種のカメラでは、ズーム式撮影光学系の駆動機構とファインダ光学系の視野変更機構およびストロボ装置の照射角変更機構とを連動させる機構が必要になる。例えば特開昭６３−  ２０３０号公報で開示されたカメラに用いられた連動機構はその１例である。
【０００３】
この公開公報のカメラでは、次のような構造の連動機構により、ズーム式撮影光学系の駆動機構とファインダ光学系の視野変更機構およびストロボ装置の照射角変更機構とを連動させるように構成されている。
即ち、ズーム式撮影光学系の駆動機構により駆動される単一のカム板に、ファインダ視野を変更する視野変更カム溝（公報では変倍カム溝）とストロボ装置の照射角を変更する照射角変更カム溝（公報ではストロボカム溝）とを設け、視野変更機構側に視野変更カム溝と嵌合する従動ピンを、また、照射角変更機構側に照射角変更カム溝に嵌合する他の従動ピンをそれぞれ設ける。
そして、ズーム式撮影光学系を変倍（ズーミング）したときに、視野変更カム溝と照射角変更カム溝のカム作用により、各々の従動ピンを介して視野変更機構と照射角変更機構とを作動させ、ファインダ視野およびストロボ照射角をその時々の焦点距離に対応させるというものである。
【０００４】
【発明が解決しようとする課題】
しかし乍ら、この従来構造の連動機構には、カメラ携帯時や不使用時にズーム式撮影光学系の全部または一部分をカメラ本体内に没入的に収納する沈胴式ズーム鏡胴を具えたカメラには利用することができないという大きな欠点がある。
即ち、ズーム式撮影光学系を装着したカメラでは、撮影時に撮影光学系がカメラ本体から光軸方向に大きく突出した状態となるため、最近のこの種カメラでは、カメラ携帯時や不使用時に、撮影光学系の全部または一部分をカメラ本体内に設定した収納位置まで没入的（沈胴的）に収納できるように構成されるのが一般的である。この場合、撮影光学系のカメラ本体内への収納動作は、ズーミング動作の延長上の動作として行われるように構成されるのが普通である。
【０００５】
一方、ファインダ光学系やストロボ装置というものは、光軸方向に移動させる必要のないものであるから、当然、視野変更機構や照射角変更機構もカメラ本体内に光軸方向には移動しない構造のものとして構成されることになる。
ところが、従来構造の連動機構では、ズーム式撮影光学系の駆動機構と視野変更機構および照射角変更機構とが直結的に連動するような構造になっているため、沈胴式ズーム鏡胴を具えたカメラにこの従来型連動機構を適用すると仮定すると、本来が光軸方向に移動させる必要性のないファインダ光学系やストロボ装置までも光軸方向に移動させなければならないという大きな問題が生じる。
【０００６】
この場合、ファインダ光学系やストロボ装置を光軸方向に移動させないように構成したとすると、視野変更機構や照射角変更機構が複雑になるばかりではなく、両方の機構の設置スペースが増大してカメラの大型化を招く結果となる。
一方、このようなカメラの大型化を避けようとすると、例えばズーム式撮影光学系の駆動機構に円筒カムを用いる形式のカメラの場合、円筒カムに形成されるカム溝を  ３６０度以上に亘って形成することが必要になってモールド成型が困難になる。また、カム溝を  ３６０度以下に抑えようとすると、カムの圧力角が立ってきてズーミング時の作動が重くなるという不都合を生ずる。
【０００７】
本発明は、このような事情に鑑みてなされたもので、その目的とするところは、ズーム式撮影光学系の全部または一部分をカメラ本体内に没入的に収納する沈胴式ズーム鏡胴と、その時々の焦点距離に応じてファインダ視野を連続的に変更する必要性のあるファインダ光学系駆動手段（ファインダ視野変更手段）を具えたカメラにおいて、所定の変倍範囲内においてはズーミング動作をファインダ光学系駆動手段に伝達させ、鏡胴の収納（沈胴）時には鏡胴の収納動作をファインダ光学系駆動手段に伝達させないようにして、ファインダ光学系駆動手段の不必要な駆動（作動）をなくし、消費エネルギの低減化ないし作動力量の軽減化と作動スペースの狭小化を実現すると共に、合焦作動中のファインダ像の振れをなくし得る沈胴式ズーム鏡胴を具えたカメラを提供することにある。
【０００８】
【課題を解決するための手段】
上記の目的を達成するために、請求項１に記載の発明は、鏡胴駆動部材の回動操作により、焦点距離を連続的に変更させ得る変倍レンズ群を有する撮影光学系と、
前記撮影光学系の焦点距離を連続的に変更する焦点距離変更領域と、この焦点距離変更領域外に設定された収納動作領域とを有する撮影光学系駆動手段と、
前記撮影光学系の焦点距離が変更された際に、その時々の焦点距離に応じてファインダ視野を連続的に変更し得るように構成された視野変倍式ファインダと、
を有する沈胴式ズーム鏡胴を具えたカメラであって、
前記撮影光学系駆動手段は、
固定部に対して回動可能に設けられ、前記鏡胴駆動部材の回動操作に伴い回動的に変位するように形成された駆動伝達面を有するファインダ駆動部材を具え、
前記視野変倍式ファインダは、
変倍ファインダ光学系と、
ファインダ光学系駆動手段と、を具え、
前記ファインダ光学系駆動手段は、
前記変倍ファインダ光学系を駆動するファインダカム部材と、
前記ファインダカム部材に突設され前記駆動伝達面に係接する突起部からなる回動力受けボスと、を含み、
前記焦点距離変更領域内においては、前記駆動伝達面と前記回動力受けボスとを、前記２つの駆動手段の間を連動するよう係接状態に保ち、前記収納動作領域内においては、前記ファインダカム部材の回動を停止させ、前記駆動伝達面を前記回動力受けボスを前記２つの駆動手段の間が非連動となるよう非係接状態に保つように構成したことを特徴とするものである。
【０００９】
また、請求項２に記載の発明は、前記収納動作領域内においては、前記回動力受けボスを前記固定部に形成された回動制限部に当接させることにより前記ファインダカム部材の回動を停止させることを特徴とするものである。
【００１０】
また、請求項３に記載の発明は、前記ファインダカム部材には、付勢手段によって、前記回動力受けボスが前記ファインダ駆動部材の前記駆動伝達面を圧接する方向の付勢力が与えられていることを特徴とするものである。
【００１２】
【作用】
上記のように、焦点距離を連続的に変更し得る撮影光学系と、ズーム式撮影光学系の全部または一部分をカメラ本体内に没入的に収納する沈胴式ズーム鏡胴と、その時々の焦点距離に応じてファインダ視野を連続的に変更する必要性のある変倍式ファインダを具えた本発明に係るカメラは、撮影光学系駆動手段を焦点距離変更領域においては撮影光学系の焦点距離を連続的に変更し得るように作動し、この焦点距離変更領域外に設定された収納動作領域では沈胴式ズーム鏡胴の沈胴動作を行い得るように作動する。
【００１３】
前記焦点距離変更領域においては、駆動伝達面と回動力受けボスとを、前記２つの駆動手段の間を連動するよう係接状態に保ち、前記収納動作領域内においては、前記ファインダカム部材の回動を停止させ、前記駆動伝達面を前記回動力受けボスとを前記２つの駆動手段の間が非連動となるよう非係接状態に保つように作動する。
【００１４】
【発明の実施の形態】
本発明は、図７および図８に示すように、少なくとも、広角端の焦点距離（以下、単に「広角端」という）と望遠端の焦点距離（以下、単に「望遠端」という）で規定される変倍領域を持つズーム式の撮影光学系（図示なし）と、この撮影光学系を内蔵する沈胴式ズーム鏡胴Ｌ（以下、単に「鏡胴Ｌ」と略称する場合がある）と、この沈胴式ズーム鏡胴Ｌを全没収納的または半没収納的に保持するカメラ本体Ｂと、その時々の焦点距離に応じて面積的範囲や角度的範囲等の設定値を連続的に変更する必要性のある各種機能手段、例えばファインダ光学系・閃光手段・測光手段等の各種機能手段を有する沈胴式ズーム鏡胴を具えたカメラとして構成されている。
【００１５】
この場合、沈胴式ズーム鏡胴Ｌは、携帯時ないし不使用時には、図７に示すように、カメラ本体Ｂ内に設定された沈胴時位置に全没的または半没的に収納された状態に保持され、撮影時ないし待機時には、図８に示すように、この沈胴時位置から収納開始位置までカメラ本体Ｂの前方に引き出されるような沈胴式機構（図示なし）を有する鏡胴として構成される。
即ち、鏡胴Ｌの引き出し動作および沈胴動作（収納動作）は、例えば光軸方向の自らの長さを伸縮しながらの、沈胴時位置と収納開始位置との間の光軸方向動作ということになる。
【００１６】
なお、図示例の場合、鏡胴Ｌの収納開始位置は、撮影光学系が広角端の状態に在るときの位置として設定されている。従って、この収納開始位置がそのままズーミング開始位置となり、変倍領域内でのズーミング動作は、鏡胴Ｌが収納開始位置に至った後の継続動作として行われることになる。
また、本発明は、例えばこのカメラ本体Ｂの上部に設けられた視野変更式ファインダＦを各種機能手段として有する沈胴式ズーム鏡胴を具えたカメラとして構成されている。
【００１７】
この場合、視野変更式ファインダＦの視野変更動作は、例えば機械的構成の視野枠或いはレンズを、その時々の焦点距離に応じてそのときの焦点距離に対応した視野範囲の位置まで移動し得る視野変更機構（図示なし）によって行われるように構成されている。なお、鏡胴の沈胴式機構およびファインダの視野変更機構は、それ自体公知である適宜の構造を持つ機構としてそれぞれ構成されることになる。
さて、図１および図２において、１は撮影光学系の光軸を中心軸として時計方向および反時計方向に往復的に回動し得るように設けられた変倍兼鏡胴収納駆動部材（以下、単に「鏡胴駆動部材」という）で、例えばそれ自体公知であるパルスモータ制御により往復的に回動させられるように構成されている。
【００１８】
この場合、広角端から望遠端へのズーミング動作は、鏡胴駆動部材１を鏡胴Ｌの収納開始位置（広角端の位置）から反時計方向に回動することにより行われ、また、望遠端から広角端へのズーミング動作は、鏡胴駆動部材１を望遠端の位置から鏡胴Ｌの収納開始位置に向って時計方向に回動することによって行われるように構成されている。従って、変倍領域内においてその時々の焦点距離を実現する際のズーミング動作も、このような往復方向の動作に則って行われる。
【００１９】
一方、鏡胴Ｌの沈胴動作は、鏡胴駆動部材１を収納開始位置から沈胴時位置まで時計方向に所定量だけ回動することにより、また、鏡胴Ｌの引き出し動作は、鏡胴駆動部材１を沈胴時位置から反時計方向に所定量だけ回動することにより、それぞれ行われるように構成されている。
そして、この鏡胴駆動部材１の外周部分には、鏡胴駆動部材１が、変倍範囲内の焦点距離を実現するのに必要な回動角と鏡胴Ｌの沈胴動作を行うのに必要な回動角との合計角度範囲だけ回動したときでも、この鏡胴駆動部材１からの駆動力を後述のファインダ駆動ギア５に伝達し得る角度範囲（以下、「駆動力伝達角度範囲」という）に亘ってラック部１ａが形成されるように構成されている。
【００２０】
２は鏡胴駆動部材１のラック部１ａと噛合するように設けられたアイドラギアで、例えばカメラ本体Ｂの固定部３に植設された軸４によって回転可能に軸支されている。
なお、この固定部３の一部には、後述するファインダカム部材７の回動を強制停止させ得るような構造を有する回動制限部３ａが形成されることになるが、この回動制限部３ａの位置は、後述するように変倍範囲の広角端位置（収納開始位置でもある）となるものである。
【００２１】
５はこのアイドラギア２を介して鏡胴駆動部材１の回動操作に常に連動するように設けられたファインダ駆動ギアで、例えばその左側面５ａ（図２において）に植設された軸５ｂによって固定部３に回転可能に設けられている。そして、このファインダ駆動ギア５の、例えば右側面５ｃには所定の深さを有する円弧溝６が形成されている。
この円弧溝６は、前述した鏡胴駆動部材１の駆動力伝達角度範囲を余裕を持って確保し得る角度範囲（ 360°以内）に亘って形成されている。そして、一方の溝端部が後述するファインダカム部材７に対する駆動伝達面６ａとして規定され、他方の溝端部が余裕側端面６ｂとして設定されるように構成されている。
【００２２】
７はファインダ視野をその時々の焦点距離に応じた大きさに変更するためのファインダカム部材で、固定部３上であってファインダ駆動ギア５の植設軸５ｂの同軸上に設けられたカム軸８によって回転可能に軸支されている。そして、例えばトーションバネのような適宜の付勢手段（図示なし）により、図４において時計方向への付勢力を常に与えられるように構成されている。なお、以下の説明ではこの付勢手段を時計方向付勢手段と称することにする。
このファインダカム部材７には、図４に示すように、ファインダ駆動ギア５の円弧溝６内に緩く嵌入する回動力受けボス７ａが突設されている。
【００２３】
この回動力受けボス７ａは、ファインダ駆動ギア５側に向いた係接側面が円弧溝６の駆動伝達面６ａと固定部３の回動制限部３ａとにそれぞれ係接し得るような形状ないし構造を持つ突起部として形成されることになる。
また、ファインダカム部材７の外周面には、後述する視野変更部材９、１０にそれぞれ係接する２つの端面カム７ｃ、７ｄを具えた、例えば等幅のカム部７ｂが設けられている。
この２つの端面カム７ｃ、７ｄは、図示例では、ファインダカム部材７の回転角に対するカム量が同じ値のものとして形成されているが、ファインダ視野の大きさ変更機構の構造によっては、必要に応じて２つの端面カム７ｃ、７ｄのカム量をそれそれ別の値に設定することも可能である。
【００２４】
９および１０はファインダ視野枠或いはレンズ（いずれも図示なし）をその時々の焦点距離に応じたファインダ視野に適合するように変更するための視野変更部材で、一方の視野変更部材９の下端部は、一方の端面カム７ｃに、他方の視野変更部材１０の下端部は、他方の端面カム７ｄに係接するように構成されている。
また、２つの視野変更部材９、１０は、各々が対応する端面カム７ｃ、７ｄと圧接し得るように、適宜の付勢手段によってそれぞれ付勢されるようにも構成されている。
【００２５】
次に、図示の実施形態に係るカメラの動作を、撮影光学系を望遠端から広角端にズーミングして鏡胴Ｌを収納開始位置に移動した後に、その継続動作によって沈胴時位置まで沈胴する場合を例にして説明する。
図４に示す状態は、撮影光学系が望遠端を実現しているときの状態である。この状態では、鏡胴駆動部材１は、変倍範囲の望遠端位置に停止し、ファインダ駆動ギア５も望遠端位置に対応した位置（望遠端対応位置）に停止している。
一方、時計方向付勢手段から常に付勢力を与えられているファインダカム部材７は、その回動力受けボス７ａの一方の側面が望遠端対応位置に置かれたファインダ駆動ギア５の円弧溝６の駆動伝達面６ａに圧接するという状態に保持されることになる。
【００２６】
そして、ファインダカム部材７がこの状態にあるときには、視野変更部材９、１０は、ファインダカム部材７の２つの端面カム７ｃ、７ｄによって、視野変更式ファインダＦの視野が望遠端の焦点距離に対応した大きさを実現するような位置ないし姿勢に保持されることになる。
さて、このような状態において鏡胴駆動部材１を時計方向に任意量だけ回動操作すると、その回動力はラック部１ａとアイドラギア２との噛合を介してファインダ駆動ギア５に伝達される。そのため、ファインダ駆動ギア５は、時計方向に回動し、これに伴って、円弧溝６の駆動伝達面６ａも同時に図４の望遠端対応位置から時計方向に回動的に変位する。
【００２７】
このとき、ファインダカム部材７は、時計方向付勢手段の付勢力によって回動力受けボス７ａの係接側面と円弧溝６の駆動伝達面６ａとの圧接状態を保ちながら、ファインダ駆動ギア５と一体となって時計方向に追従的に回動することになる。
従って、ファインダカム部材７の２つの端面カム７ｃ、７ｄも時計方向に回動的に変位して、視野変更部材９、１０を望遠端対応位置からそのときの焦点距離に対応したファインダ視野を実現し得る位置に変位する（図５参照）。
【００２８】
さらに、鏡胴駆動部材１の時計方向への回動を続けると、やがて、ファインダカム部材７の回動力受けボス７ａの係接側面が固定部３の回動制限部３ａに当接することになり、ファインダカム部材７は、回動制限部３ａとの当接位置で時計方向への追従回動動作を強制的に停止させられることになる（図６参照）。
そのため、２つの端面カム７ｃ、７ｄもこの回動制限部３ａとの当接位置でその変位動作を停止させられ、視野変更部材９、１０をこのときの焦点距離に対応したファインダ視野を実現する位置に停止させることになる。
【００２９】
従って、この回動力受けボス７ａの係接側面と回動制限部３ａとの当接位置を撮影光学系の変倍範囲の広角端位置および収納開始位置となるように設定して置けば、望遠端からのズーミング動作はこの当接位置で終了することになる。
ところで、撮影を止めて沈胴式ズーム鏡胴Ｌを収納するときには、この状態においてさらに鏡胴駆動部材１を図１において時計方向に所定量だけ回動操作を行うことになる。
【００３０】
このような回動操作を行うと、円弧溝６の駆動伝達面６ａが回動力受けボス７ａの係接側面から離れる方向への回動動作となるので、ファインダカム部材７を回動制限部３ａとの当接位置に停止させた状態のまま、ファインダ駆動ギア５のみが、回動制限部３ａとの当接位置に対応する位置から時計方向に再び回動を始めることになる。
そのため、撮影光学系は、この時計方向の回動動作により沈胴式ズーム鏡胴Ｌと共に光軸方向の自らの長さを短縮しながら沈胴時位置に向って移動し、最終的には図８から図７に示す沈胴状態に移行する。
【００３１】
このとき、前述したように変倍範囲の広角端位置から沈胴時位置に向う鏡胴駆動部材１の時計方向への回動動作が視野変更部材９、１０には伝達されることはないから、視野変更式ファインダＦの視野は、広角端の焦点距離に対応した大きさのままに保たれることになる。即ち、鏡胴Ｌの沈胴動作中は、視野変更式ファインダＦの視野が不動の状態に保持されることになる。
一方、鏡胴Ｌを沈胴時位置から収納開始位置（広角端位置でもある）に引き出すときの動作、並びに、広角端位置から望遠端にズーミングする際の動作は、前述した鏡胴駆動部材１の動作と逆方向の動作となる。
【００３２】
即ち、鏡胴Ｌを引き出すときには、鏡胴駆動部材１を収納開始位置まで反時計方向に回動する。このとき、円弧溝６の駆動伝達面６ａが固定部３の回動制限部３ａの位置まで回動すると、時計方向付勢手段の付勢力で回動制限部３ａに停止しているファインダカム部材７の回動力受けボス７ａの係接側面と駆動伝達面６ａとが係接することになるから、係接した位置（広角端位置）から後の鏡胴駆動部材１およびファインダ駆動ギア５の回動動作は、ファインダカム部材７に伝達されることになる。
【００３３】
そして、広角端位置から望遠端に向ってズーミングする際には、鏡胴駆動部材１を広角端位置から望遠端位置または所望の焦点距離が得られる位置まで反時計方向に回動することにより行われる。この場合、ファインダカム部材７の回動力受けボス７ａの係接側面と円弧溝６の駆動伝達面６ａとが既に係接関係にあるから、視野変更式ファインダＦの視野は広角端から望遠端に亘ってその時々の焦点距離に応じて変更されることになる。
【００３４】
本発明は、閃光手段の照射角変更手段を各種機能手段として有する沈胴式ズーム鏡胴を具えたカメラとしても応用することができる。
即ち、閃光手段の照射角をその時々の焦点距離に応じて変更するには、例えば図示例の視野変更部材９、１０とファインダカム部材７を、適宜の閃光照射角変更手段と照射角変更カム部材（図示なし）に代えるように構成されるものである。
【００３５】
本発明は、測光手段の測光範囲変更手段を各種機能手段として有する沈胴式ズーム鏡胴を具えたカメラとしても応用することができる。
即ち、測光手段の測光範囲をその時々の焦点距離に応じて変更する場合には、例えば図示例の視野変更部材９、１０とファインダカム部材７を、適宜の測光範囲変更手段と測光範囲変更カム部材（図示なし）に代えるように構成されるものである。
【００３６】
このように、上述した実施の形態においては、従来例のような、撮影光学系駆動機構とファインダ光学系、閃光手段の照射角または測光手段の測光範囲変更手段等の各種機能手段の駆動機構とが直結しているものとは異なり、所定の変倍範囲内においては、ズーミング動作をファインダ光学系等の各種機能手段に伝達させ、鏡胴の収納動作（沈胴動作）時には、鏡胴の収納動作の駆動力をファインダ光学系等の各種機能手段に伝達させないように構成してあるので、特に収納動作時における各種機能手段の不必要な駆動をなくすことができ、その分、作動力量の軽減ないしは消費エネルギの節減を図ることが可能になった。
【００３７】
また、撮影光学系駆動手段の特定領域（焦点距離変更領域）においてのみ変倍ファインダ光学系が連動するようにしているので、広角端において撮影光学系全体を繰り出してフォーカシングを行うカメラにおいては、そのフォーカシングにおいて撮影光学系の変倍機構と変倍ファインダ光学系の変倍機構とが独立しており、上記フォーカシングにおいてファインダ像が全く動かないようにすることができる。
【００３８】
【発明の効果】
以上述べたように、本発明は、鏡胴駆動部材の回動操作により、焦点距離を連続的に変更させ得る変倍レンズ群を有する撮影光学系と、
前記撮影光学系の焦点距離を連続的に変更する焦点距離変更領域と、この焦点距離変更領域外に設定された収納動作領域とを有する撮影光学系駆動手段と、
前記撮影光学系の焦点距離が変更された際に、その時々の焦点距離に応じてファインダ視野を連続的に変更し得るように構成された視野変倍式ファインダと、
を有する沈胴式ズーム鏡胴を具えたカメラであって、
前記撮影光学系駆動手段は、
固定部に対して回動可能に設けられ、前記鏡胴駆動部材の回動操作に伴い回動的に変位するように形成された駆動伝達面を有するファインダ駆動部材を具え、
前記視野変倍式ファインダは、
変倍ファインダ光学系と、
ファインダ光学系駆動手段と、を具え、
前記ファインダ光学系駆動手段は、
前記変倍ファインダ光学系を駆動するファインダカム部材と、
前記ファインダカム部材に突設され前記駆動伝達面に係接する突起部からなる回動力受けボスと、を含み、
前記焦点距離変更領域内においては、前記駆動伝達面と前記回動力受けボスとを、前記２つの駆動手段の間を連動するよう係接状態に保ち、前記収納動作領域内においては、前記ファインダカム部材の回動を停止させ、前記駆動伝達面を前記回動力受けボスを前記２つの駆動手段の間が非連動となるよう非係接状態に保つように構成したから、特に、収納動作時におけるファインダ光学系駆動手段の不必要な駆動をなくすことができ、その分、作動力量の軽減化ないし消費エネルギの節減化と作動スペースの狭小化を図ることが可能となると共に、焦点距離変更時における作動が重くなるという不都合をなくすことが可能な沈胴式ズーム鏡胴を具えたカメラを提供することができる。
【００３９】
また、前記収納動作領域内においては、前記回動力受けボスを前記固定部に形成された回動制限部に当接させることにより前記ファインダカム部材の回動を停止させるように構成したから、収納動作時におけるファインダ像の振れがなくなり、また、焦点距離変更領域と収納動作領域との境界、即ち、収納動作領域と隣接する一方の焦点距離端、例えば広角端において合焦作動を行わせるようなものにおいては、その合焦作動中のファインダ像の振れをなくし得る沈胴式ズーム鏡胴を具えたカメラを提供することができる。
また、前記ファインダカム部材には、付勢手段によって、前記回動力受けボスが前記ファインダ駆動部材の前記駆動伝達面を圧接する方向の付勢力が与えられる構成としたから、ファインダカム部材の回動力受けボスはファインダ駆動部材の駆動伝達面を圧接しつつ追従回動動作を行い任意の焦点距離に対応したファインダ視野を円滑に実現させ、また、収納動作領域内においては前記回動力受けボスが前記固定部に形成された自動制限部に当接した後の、ファインダ駆動部材の回動を許容するため、簡単な構成で、不必要なファインダ光学系の駆動をなくすことが可能となりスペースの狭小化と消費エネルギの節減を図ることができるという優れた効果を奏する。
【図面の簡単な説明】
【図１】本発明に係る沈胴式ズーム鏡胴を具えたカメラの要部構成を光軸と直交する平面で示した要部構成図である。
【図２】図１の要部構成に係る右側面図である。
【図３】要部構成図における作動を説明するための作動基本図であり、図２のＡ矢視方向から見た図である。
【図４】図３の状態における円弧溝の駆動伝達面と回動力受けボスとの位置関係を示す作動説明図であって、撮影光学系が望遠端を実現しているときの状態を示す図である。
【図５】視野変更部材がそのときの焦点距離に対応したファインダ視野を実現したときの状態を示す作動説明図である。
【図６】撮影光学系が広角端位置に強制停止され、且つ、沈胴式ズーム鏡胴が沈胴状態に移行したときの状態を示す作動説明図である。
【図７】本発明に係る沈胴式ズーム鏡胴を具えたカメラの携帯時ないし不使用時の状態を示す模式外観図であり、沈胴式ズーム鏡胴が沈胴状態にあるときの図を示す。
【図８】本発明に係る沈胴式ズーム鏡胴を具えたカメラの撮影時ないし待機時の状態を示す模式的外観図であり、沈胴式ズーム鏡胴が引き出し状態にあるときの図を示す。
【符号の説明】
Ｌ  沈胴式ズーム鏡胴
Ｂ  カメラ本体
Ｆ  視野変更式ファインダ
１  鏡胴駆動部材
１ａ  ラック部
２  アイドラギア
３  固定部
３ａ  回動制限部
４  軸
５  ファインダ駆動ギア
５ｂ  植設軸
６  円弧溝
６ａ  駆動伝達面
７  ファインダカム部材
７ａ  回動力受けボス
７ｂ  カム部
７ｃ、７ｄ  端面カム
８  カム軸
９、１０  視野変更部材
【図１】
0003544775.tif 000002
【図２】
0003544775.tif 000003
【図３】
0003544775.tif 000004
【図４】
0003544775.tif 000005
【図５】
0003544775.tif 000006
【図６】
0003544775.tif 000007
【図７】
0003544775.tif 000008
【図８】
0003544775.tif 000009